(57)【要約】【課題】物品に表示されている二次元バーコードを端末装置に読み取らせるだけで、ただちにその物品に関連する動画を閲覧することを可能とする手段を提供する。【解決手段】ストリーミングサーバ１２には、様々な土産物１３の各々に関連する動画を示す動画データが記憶されている。ユーザはユーザ端末１１を用いて、手にした土産物１３に印刷されている二次元バーコードを読み取る。読み取られた二次元バーコードはＵＲＩに変換されてネットワークＮに送出される。ＵＲＩに含まれる動画データの識別子はＵＲＩに含まれるＵＲＬに従いストリーミングサーバ１２に送信される。ストリーミングサーバ１２は受信した識別子により識別される動画データをユーザ端末１１にストリーミング送信する。ユーザ端末１１は、ストリーミングサーバ１２から送信されてくる動画データに従い、土産物１３に関連する動画の再生を行う。【選択図】図１
2011097368.tif 000002
【特許請求の範囲】
【請求項１】
１以上の物品であって、前記１以上の物品の各々に関し、ネットワーク上の所定の場所に格納されている一の動画データを識別する識別データを示す識別画像が当該物品のいずれかの場所に外部から視認可能に形成された物品と、
１以上の端末装置と、
サーバ装置と
を備え、
前記１以上の端末装置の各々は、前記１以上の物品のうちの一の物品に形成されている前記識別画像を光学的に読み取り当該識別画像を示す画像データを生成する読取手段と、前記読取手段により生成された前記画像データを前記画像データが示す識別画像により示される識別データに変換する変換手段と、前記変換手段による変換により得られた識別データを前記サーバ装置に送信する送信手段と、自機の前記送信手段から送信された識別データに対する応答として前記サーバ装置から送信される動画データを受信する受信手段と、自機の前記受信手段により受信された動画データをストリーミング再生し動画を表示する再生手段とを有し、
前記サーバ装置は、ストリーミング再生のための動画データを１以上記憶する記憶手段と、前記１以上の端末装置のうちの一の端末装置から送信される前記識別データを受信する受信手段と、前記記憶手段に記憶されている１以上の動画データの中から自機の前記受信手段により受信された前記識別データによって識別される動画データを検索する検索手段と、前記検索手段により検索された動画データを前記一の端末装置に送信する送信手段とを有し、
前記サーバ装置の前記記憶手段に記憶されている１以上の動画データの各々は、当該動画データを識別する識別データを示す識別画像が外部から視認可能に形成されている物品に関連する動画コンテンツを示す
動画配信システム。
【請求項２】
前記１以上の物品の各々は、所定の地域の土産物もしくは弁当であり、
前記１以上の動画データの各々により示される動画コンテンツは、前記地域、または前記土産物もしくは弁当を販売する業者に関連する動画コンテンツである
請求項１に記載の動画配信システム。
【請求項３】
前記１以上の物品の各々は、卒業アルバムであり、
前記１以上の動画データの各々により示される動画コンテンツは、前記卒業アルバムにおいて前記識別画像が形成されている位置から最も近い位置に形成されている写真に関連する動画コンテンツである
請求項１に記載の動画配信システム。
【請求項４】
前記１以上の物品の各々は、寺院の御札であり、
前記１以上の動画データの各々により示される動画コンテンツは、前記寺院の僧による説法もしくは読経の動画コンテンツである
請求項１に記載の動画配信システム。
【請求項５】
端末装置が、一の物品に外部から視認可能に形成されている識別画像であってネットワーク上の所定の場所に格納されている一の動画データを識別する識別データを示す識別画像を光学的に読み取り当該識別画像を示す画像データを生成する読取ステップと、
前記端末装置が、前記読ステップにおいて生成した前記画像データを前記画像データが示す識別画像により示される識別データに変換する変換ステップと、
前記端末装置が、前記変換ステップにおける変換により得られた識別データを、ストリーミング再生のための動画データを１以上記憶するサーバ装置に送信し、前記サーバ装置が、当該識別データを受信する識別データ送受信ステップと、
前記サーバ装置が、記憶している前記１以上の動画データの中から前記送受信ステップにおいて受信した前記識別データによって識別される動画データを検索する検索ステップと、
前記サーバ装置が、前記検索ステップにおいて検索した動画データを前記端末装置に送信し、前記端末装置が、当該動画データを受信する動画データ送受信ステップと、
前記端末装置が、前記動画データ送受信ステップにおいて受信した動画データをストリーミング再生し動画を表示する再生ステップと
を備え
前記サーバ装置に記憶されている１以上の動画データの各々は、当該動画データを識別する識別データを示す識別画像が外部から視認可能に形成されている物品に関連する動画コンテンツを示す
動画配信方法。
【請求項６】
ネットワーク上の所定の場所に格納されている一の動画データを識別する識別データを示す識別画像がいずれかの場所に外部から視認可能に形成された物品であって、
前記識別画像が示す識別データにより識別される動画データは前記物品に関連する動画コンテンツを示す
物品。
【発明の詳細な説明】
【技術分野】
【０００１】
本発明は、動画データをストリーミング再生する動画配信システムに関する。
【背景技術】
【０００２】
従来、ユーザが端末装置を用いていわゆる二次元バーコードを読み取り、当該二次元バーコードにより示される識別データにより特定されるインターネット上のサーバ装置に対しファイル送信等の要求を送信し、当該要求に応じてサーバ装置から送信されてくるデータを端末装置において利用するシステムが種々提案されている（特許文献１乃至４等）。
【先行技術文献】
【特許文献】
【０００３】
【特許文献１】特開２００９−５１６４１号公報
【特許文献２】特開２００７−２８０２９０号公報
【特許文献３】特開２００７−２４１８６２号公報
【特許文献４】特開２００７−２１３５２３号公報
【発明の概要】
【発明が解決しようとする課題】
【０００４】
本願発明者は、例えば土産物のような物品もしくはその包装にＱＲコード（登録商標）等の二次元バーコードを印刷しておき、その二次元バーコードを携帯電話等の端末装置で読み取ると、物品の産地の映像やその物品の生産者、販売者等のビデオメッセージ等の動画がただちに端末装置において再生されると、その物品を手にした人に対し付加的なサービスを提供することができ望ましい、ということを着想した。
【０００５】
ところで、従来技術においては、上述の二次元バーコードにより示される識別データがＵＲＬ（Uniform Resource Locator）等であり、それにより指定されるデータがＷｅｂページデータ等であるため、当該識別データにより特定されるサーバ装置に対する要求が送信されてから、ただちに端末装置において動画の再生が行われる、ということはない。
【０００６】
そこで、本発明は、ある物品を手にしたユーザが、その物品に表示されている二次元バーコードを端末装置に読み取らせるだけで、ただちにその物品に関連する動画を閲覧することを可能とする手段を提供することを目的とする。
【課題を解決するための手段】
【０００７】
本発明は、上記の目的に鑑みて想到されたものであり、
１以上の物品であって、前記１以上の物品の各々に関し、ネットワーク上の所定の場所に格納されている一の動画データを識別する識別データを示す識別画像が当該物品のいずれかの場所に外部から視認可能に形成された物品と、
１以上の端末装置と、
サーバ装置と
を備え、
前記１以上の端末装置の各々は、前記１以上の物品のうちの一の物品に形成されている前記識別画像を光学的に読み取り当該識別画像を示す画像データを生成する読取手段と、前記読取手段により生成された前記画像データを前記画像データが示す識別画像により示される識別データに変換する変換手段と、前記変換手段による変換により得られた識別データを前記サーバ装置に送信する送信手段と、自機の前記送信手段から送信された識別データに対する応答として前記サーバ装置から送信される動画データを受信する受信手段と、自機の前記受信手段により受信された動画データをストリーミング再生し動画を表示する再生手段とを有し、
前記サーバ装置は、ストリーミング再生のための動画データを１以上記憶する記憶手段と、前記１以上の端末装置のうちの一の端末装置から送信される前記識別データを受信する受信手段と、前記記憶手段に記憶されている１以上の動画データの中から自機の前記受信手段により受信された前記識別データによって識別される動画データを検索する検索手段と、前記検索手段により検索された動画データを前記一の端末装置に送信する送信手段とを有し、
前記サーバ装置の前記記憶手段に記憶されている１以上の動画データの各々は、当該動画データを識別する識別データを示す識別画像が外部から視認可能に形成されている物品に関連する動画コンテンツを示す
動画配信システム
を提供する（第１の実施態様）。
【０００８】
また、上記の第１の実施態様において、
前記１以上の物品の各々は、所定の地域の土産物もしくは弁当であり、
前記１以上の動画データの各々により示される動画コンテンツは、前記地域、または前記土産物もしくは弁当を販売する業者に関連する動画コンテンツである
構成を採用してもよい（第２の実施態様）。
【０００９】
また、上記の第１の実施態様において、
前記１以上の物品の各々は、卒業アルバムであり、
前記１以上の動画データの各々により示される動画コンテンツは、前記卒業アルバムにおいて前記識別画像が形成されている位置から最も近い位置に形成されている写真に関連する動画コンテンツである
構成を採用してもよい（第３の実施態様）。
【００１０】
また、上記の第１の実施態様において、
前記１以上の物品の各々は、寺院の御札であり、
前記１以上の動画データの各々により示される動画コンテンツは、前記寺院の僧による説法もしくは読経の動画コンテンツである
構成を採用してもよい（第４の実施態様）。
【００１１】
また、本発明は、
端末装置が、一の物品に外部から視認可能に形成されている識別画像であってネットワーク上の所定の場所に格納されている一の動画データを識別する識別データを示す識別画像を光学的に読み取り当該識別画像を示す画像データを生成する読取ステップと、
前記端末装置が、前記読ステップにおいて生成した前記画像データを前記画像データが示す識別画像により示される識別データに変換する変換ステップと、
前記端末装置が、前記変換ステップにおける変換により得られた識別データを、ストリーミング再生のための動画データを１以上記憶するサーバ装置に送信し、前記サーバ装置が、当該識別データを受信する識別データ送受信ステップと、
前記サーバ装置が、記憶している前記１以上の動画データの中から前記送受信ステップにおいて受信した前記識別データによって識別される動画データを検索する検索ステップと、
前記サーバ装置が、前記検索ステップにおいて検索した動画データを前記端末装置に送信し、前記端末装置が、当該動画データを受信する動画データ送受信ステップと、
前記端末装置が、前記動画データ送受信ステップにおいて受信した動画データをストリーミング再生し動画を表示する再生ステップと
を備え
前記サーバ装置に記憶されている１以上の動画データの各々は、当該動画データを識別する識別データを示す識別画像が外部から視認可能に形成されている物品に関連する動画コンテンツを示す
動画配信方法
を提供する（第５の実施態様）。
【００１２】
また、本発明は、
ネットワーク上の所定の場所に格納されている一の動画データを識別する識別データを示す識別画像がいずれかの場所に外部から視認可能に形成された物品であって、
前記識別画像が示す識別データにより識別される動画データは前記物品に関連する動画コンテンツを示す
物品
を提供する（第６の実施態様）。
【発明の効果】
【００１３】
本発明の第１の実施態様にかかる動画配信システムによれば、ユーザが簡易な操作をすることによって、端末装置で所定の物品に関連する動画データのストリーミング再生を楽しむことができる。
【００１４】
また、本発明の第２の実施態様にかかる動画配信システムによれば、ユーザは、所定の地域の土産物もしくは弁当に関連する動画データのストリーミング再生を楽しむことができる。
【００１５】
また、本発明の第３の実施態様にかかる動画配信システムによれば、ユーザは、卒業アルバムに掲載されている写真の内容に関連する動画データのストリーミング再生を楽しむことができる。
【００１６】
また、本発明の第４の実施態様にかかる動画配信システムによれば、ユーザは、御札を購入した寺院の僧による説法もしくは読経の動画データのストリーミング再生を楽しむことができる。
【００１７】
また、本発明の第５の実施態様にかかる動画配信方法によれば、上記の第１の実施態様にかかる動画配信システムと同様の効果を得ることができる。
【００１８】
また、本発明の第６の実施態様にかかる物品によれば、当該物品を手にした者は、当該物品に形成された識別画像を所定の機能を有する携帯電話等を用いて読み取ることにより容易に、当該物品に関連する動画コンテンツを楽しむことができる。
【図面の簡単な説明】
【００１９】
【図１】図１は、本発明の実施形態にかかる動画配信システムの構成を、模式的に示した図である。
【図２】図２は、本発明の実施形態にかかる動画配信システムの端末装置およびサーバ装置の機能構成と、当該動画配信システムの動作の流れとを示した図である。
【図３】図３は、本発明の実施形態にかかる動画配信システムの記憶部に記憶されているデータベースのデータ構造を表す図である。
【発明を実施するための形態】
【００２０】
（実施形態）
以下、本発明の一具体例である実施形態１を、図面を用いて説明する。
【００２１】
図１は、本実施形態にかかる動画配信システム１の構成を、模式的に示した図である。
【００２２】
動画配信システム１は、１以上のユーザ端末１１と、ストリーミングサーバ１２と、土産物１３を備えている。ユーザ端末１１およびストリーミングサーバ１２はインターネットに代表されるネットワークＮを介して互いにデータ通信可能である。また、土産物１３はユーザ端末１１のユーザの手元にあり、土産物１３の表面（土産物１３の包装も土産物１３の一部であるものとする）には土産物１３に関連する動画を示す動画データがネットワークＮ上において格納されている場所を示すＵＲＬと、その場所における当該動画データの識別子との組み合わせ（以下、ＵＲＬと動画データの識別子の組み合わせを「識別データ」と呼ぶ）を示す二次元バーコード１３１が印刷されている。
【００２３】
なお、土産物１３は例えば地域限定の弁当のように、いわゆる土産物以外の物品であっても特定の地域に関する物品であればいかなるものであってもよい。また、土産物１３に二次元バーコードが形成される方法は印刷に限られず、土産物１３の外部から視認可能な態様で形成されるならば、いずれの方法が採用されてもよい。
【００２４】
ユーザ端末１１は、二次元バーコード１３１を撮影することによって、二次元バーコード１３１を示す画像データを生成するカメラと、当該カメラによって生成された画像データを当該画像データが示す二次元バーコード１３１により示される識別データに変換するデコーダとを有する一般的な携帯電話である。
【００２５】
さらに、ユーザ端末１１は、Ｗｅｂブラウザ機能を有するとともに、当該Ｗｅｂブラウザ機能によって受信した動画データをストリーミング再生する機能を有している。
【００２６】
ストリーミングサーバ１２は、ネットワークＮを介して他の通信装置からのデータ送信の要求に応じて要求されたデータをストリーミング送信する機能を有した一般的なサーバ装置である。なお、ストリーミングサーバ１２が行うデータのストリーミング送信の方法は、いわゆるリアルタイムストリーミング送信に限られず、例えばプログレッシブダウンロードによる疑似ストリーミング送信等であってもよい。
【００２７】
図２はユーザ端末１１およびストリーミングサーバ１２の機能構成とシステム１の動作の流れとを示した図である。
【００２８】
ストリーミングサーバ１２の記憶部１２３には、いずれかのユーザ端末１１に送信されユーザ端末１１においてストリーミング再生されるべき動画データが多数記憶されている。
【００２９】
ストリーミングサーバ１２は、その機能構成として、記憶部１２３に記憶されている動画データを要求元のユーザ端末１１に対しストリーミング送信する送信部１２４を備えている。
【００３０】
二次元バーコード１３１は、土産物１３の本体もしくは包装のいずれかの場所に印刷されている。
【００３１】
また、二次元バーコード１３１は、例えば、ＱＲコードである。
【００３２】
以下に、ユーザ端末１１およびストリーミングサーバ１２の各々が備える各機能構成部の機能を、動画配信システム１の動作説明と併せて説明する。
【００３３】
動画配信システム１の動作の前提として、記憶部１２３は、上述のように、ストリーミング再生のための動画データを多数記憶している。
【００３４】
図３は、記憶部１２３に記憶されているデータベース（ＤＢ）のデータ構造を表す図である。このデータベースは、動画データを含む動画ファイルの各々に関するレコードを多数含んでいる。各レコードは、動画ファイルを識別する識別データを格納するフィールド「ＵＲＩ」と、動画ファイルのファイル名（例えば、「ＡＢＣ．ｍｐ４」等の文字列）を格納するフィールド「ファイル名」を有している。フィールド「識別データ」に格納されるデータは、ネットワークＮにおいてストリーミングサーバ１２の場所を示すデータ（例えば、「ｈｔｔｐ：／／ｗｗｗ．−．ｊｐ／」）と、ストリーミングサーバ１２において動画ファイルを識別するデータ（例えば、「１２３」）により構成される。
【００３５】
ユーザ端末１１の読取部１１１は、上述のカメラにより構成され、土産物１３に形成されている上述の二次元バーコード１３１を光学的に読み取り（ステップＳ１０１）、二次元バーコード１３１を示す画像データを生成し、生成した画像データを変換部１１２に引き渡す（ステップＳ１０２）。
【００３６】
変換部１１２は、上述のデコーダにより構成され、読取部１１１より受け取った画像データを、当該画像データが示す二次元バーコード１３１により示される上述の識別データに変換する。変換部１１２は変換により得られた識別データを送信部１１３に引き渡す（ステップＳ１０３）。
【００３７】
送信部１１３は、変換部１１２から受け取った識別データを、ストリーミングサーバ１２に送信する。ストリーミングサーバ１２の受信部１２１は、ユーザ端末１１から送信された上述の識別データを受信する（ステップＳ１０４）。
【００３８】
受信部１２１はユーザ端末１１から受信した識別データを検索部１２２に引き渡す（ステップＳ１０５）。検索部１２２は、記憶部１２３に記憶されている上述のデータベースから、受信部１２１により受信された識別データをフィールド「ＵＲＩ」に含むレコードを検索し、検索したレコードのフィールド「ファイル名」により特定される動画ファイルを記憶部１２３から読み出す（ステップＳ１０６）。検索部１２２は読み出した動画ファイルを送信部１２４に引き渡す（ステップＳ１０７）。
【００３９】
送信部１２４は、検索部１２２より受け取った動画ファイルに含まれる動画データを、順次、上述の識別データの送信元のユーザ端末１１に対しストリーミング送信し、ユーザ端末１１の受信部１１４はその動画データを順次、受信する（ステップＳ１０８）。受信部１１４は受信した動画データを順次、再生部１１５に引き渡す（ステップＳ１０９）。
【００４０】
再生部１１５は、受信部１１４から順次引き渡される動画データをストリーミング再生する。その結果、ユーザ端末１１のディスプレイには土産物１３に関連する動画、例えば土産物１３の産地の風景や土産物１３の販売店の店員からのビデオメッセージ等が表示される。
【００４１】
なお、上述した動画配信システム１における一連の動作において、ユーザは二次元バーコード１３１の読み取りを行い、必要であればネットワークＮに対する接続許可の操作を行った後、上述の動画データのストリーミング再生が行われるまでの間、例えばコンテンツの選択などの判断やインプットの作業を求められることがない。
【００４２】
以上のようにして、ユーザは、ストリーミング再生された動画を楽しむことができる。
【００４３】
なお、ユーザ端末１１においてストリーミング再生される動画のコンテンツは土産物１３に関連するものであればどのようなものであってもよいが、例えば、土産物１３の販売地域の一般的な紹介である共通コンテンツが１５秒流れた後、土産物１３の販売店の広告などのオリジナルコンテンツが１５秒流れるといった構成などが考えられる。
【００４４】
なお、当該動画は、動画配信システム１を運営する業者が、共通コンテンツの選択、オリジナルコンテンツの撮影作業、それらの編集作業等に関わることによってオリジナリティーの高いものとすることができる。
【００４５】
上述の実施形態は、本発明の技術的思想の範囲内において様々に変形が可能である。
【００４６】
例えば、二次元バーコード１３１の形式は上述したものに限られず、ネットワークＮ上の所定の場所に格納されている一の動画データを識別する識別データを示す識別画像であれば、いかなるものであってもよい。
【００４７】
また、ユーザ端末１１は、携帯電話であるものとしたが、識別画像を読み取るカメラと、読み取った識別画像から識別データを生成するデコーダと、ネットワークＮを介してストリーミングサーバ１２との間でデータ通信を行う通信機能と、動画のストリーミング再生機能とを備えた端末装置であれば、いかなる端末装置であってもよい。
【００４８】
また、上述した実施形態において、ストリーミングサーバ１２に記憶されている動画ファイルは、本発明にかかる動画配信システムを運営する業者が制作しストリーミングサーバ１２に記憶させたものであってもよいし、例えば物品を取り扱う業者等が撮影により制作した動画ファイルをストリーミングサーバ１２にアップロードしたものであってもよい。
【００４９】
また、土産物１３は特定の地域に関連する物品の例であり、上述した実施形態においては土産物１３に関連する動画がユーザ端末１１においてストリーミング再生されるものとしたが、土産物１３に代えて他の種類の物品が本発明にかかる動画配信システムにおいて採用されてもよい。
【００５０】
例えば、土産物１３に代えて、卒業アルバムを本発明にかかる動画配信システムを構成する物品として採用することが考えられる。その場合、卒業アルバムに含まれる数多くの写真の各々、もしくはそれらの写真から選択された一部の写真のすぐ近傍にＱＲコード等の二次元バーコードが印刷されることになる。なお、ＱＲコードの印刷位置は、対応する写真に最も近い位置であることが望ましい。
【００５１】
卒業アルバムを見る人は、興味のある写真のすぐ近傍に印刷されている二次元バーコードを自分の端末装置を用いて読み取る操作を行うことで、端末装置にその写真に関連する動画を表示させることができる。例えば、クラブ活動の写真の近傍の二次元バーコードを読み取ることにより、そのクラブの部員のビデオメッセージが再生される、といったことが可能となる。
【００５２】
土産物１３に代えて他の種類の物品を本発明にかかる動画配信システムにおいて採用する他の例として、例えば、寺院の御札に二次元バーコードを印刷することも考えられる。この場合、寺院を参拝したユーザが御札を購入し、購入した御札に印刷されている二次元バーコードを自分の端末装置を用いて読み取る操作を行う。その結果、端末装置には、例えば当該寺院の僧による説法や読経の動画が表示されることになる。
【産業上の利用可能性】
【００５３】
本発明にかかる動画配信システムは、所定の地域の土産物もしくは弁当、卒業アルバム、寺院の御札に限られず、動画によるサービスの付加が可能なあらゆる物品に適用されて、様々なシチュエーションで用いられることが期待される。
【符号の説明】
【００５４】
１…動画配信システム、１１…ユーザ端末、１１１…読取部、１１２…変換部、１１３…送信部、１１４…受信部、１１５…再生部、１２…ストリーミングサーバ、１２１…受信部、１２２…検索部、１２３…記憶部、１２４…送信部、１３…土産物、１３１…二次元バーコード
【図１】
2011097368.tif 000003
【図２】
2011097368.tif 000004
【図３】
2011097368.tif 000005